(57)【要約】【課題】  人の周辺の領域を優先して清浄化することが可能な空気清浄機を得る。【解決手段】  この発明に係る空気清浄機においては、室内の空気を吸込む吸気口と当該空気を吹出す吹出口とを有するケーシングと、吸気口に対向して配置されるパネル部と、パネル部とケーシングとの間に形成され、吸気口と連通する吸気開口部と、吸気口からケーシング内部に空気を吸込み当該空気を吹出口から吹出す送風機と、ケーシング内部を通過する空気を清浄化する清浄化手段と、室内状況を検知する室内検知手段と、吸気開口部の吸気方向と吸気量の少なくとも一つを調整する吸気調整手段と、室内検知手段で取得された情報に基づいて吸気調整手段を制御する制御手段とを備える。【選択図】図１
2016070588.tif 000002
【特許請求の範囲】
【請求項１】
吸気口と吹出口とを有するケーシングと、
前記吸気口に対向して配置されるパネル部と、
前記パネル部と前記ケーシングとの間に形成され、前記吸気口と連通する吸気開口部と、
前記吸気開口部から前記ケーシング内部に空気を吸込み、当該空気を前記吹出口から送風する送風機と、
前記ケーシング内部を通過する空気を清浄化する清浄化手段と、
室内状況を検知する室内検知手段と、
前記吸気開口部から吸込まれる吸気方向と吸気量の少なくとも一つを調整する吸気調整手段と、
前記室内検知手段で検知された情報に基づいて、前記吸気調整手段を制御する制御手段と、を備える
ことを特徴とする空気清浄機。
【請求項２】
前記室内検知手段が検知する室内状況は、人の在室状況と人の位置の少なくとも一つである
ことを特徴とする請求項１に記載の空気清浄機。
【請求項３】
前記吸気開口部は複数箇所に設けられ、
前記吸気開口部の少なくとも一つには前記吸気調整手段を備え、
前記制御手段は、前記室内検知手段の検知結果に応じて、前記吸気調整手段を個別に制御する
ことを特徴とする請求項１または２に記載の空気清浄機。
【請求項４】
前記制御手段は、前記室内検知手段で検知された人の位置に近接する前記吸気開口部の開口面積が、複数箇所の前記吸気開口部のうちで最大になるように前記吸気調整手段を制御する
ことを特徴とする請求項３に記載の空気清浄機。
【請求項５】
前記制御手段は、前記室内検知手段に検知された室内の汚染物質の成分に基づいて、前記ケーシングの上側又は下側に配置された前記吸気調整手段を制御する
ことを特徴とする請求項３または４に記載の空気清浄機。
【請求項６】
前記吸気調整手段は、ジャッキ構造である
ことを特徴とする請求項１から５のいずれか１項に記載の空気清浄機。
【請求項７】
前記吸気調整手段は、フラップ構造である
ことを特徴とする請求項１から５のいずれか１項に記載の空気清浄機。
【請求項８】
前記吸気調整手段は、ダンパ構造である
ことを特徴とする請求項１から５のいずれか１項に記載の空気清浄機。
【請求項９】
前記ケーシングを設置した状態での前記吹出口は、前記吸気開口部よりも上方に設けられている
ことを特徴とする請求項１から８のいずれか１項に記載の空気清浄機。
【請求項１０】
前記吹出口からの吹出し気流の方向を調整する風向可変手段を備え、
前記制御手段は、前記室内検知手段の検知結果に応じて前記風向可変手段を制御する
ことを特徴とする請求項１から９のいずれか１項に記載の空気清浄機。
【請求項１１】
前記制御手段は、前記室内検知手段により人が検出された時に、吹出し気流の仰角を６０〜９０°の範囲内に設定するように前記風向可変手段を制御する
ことを特徴とする請求項１から１０のいずれか１項に記載の空気清浄機。
【請求項１２】
前記制御手段は、前記室内検知手段により人が検出されない時に、吹出し気流の仰角を２０〜９０°の範囲内に設定するように前記風向可変手段を制御する
ことを特徴とする請求項１から１０のいずれか１項に記載の空気清浄機。
【請求項１３】
前記ケーシングを水平方向に回転可能な状態で支持する回転機構を備える
ことを特徴とする請求項１から１２のいずれか１項に記載の空気清浄機。
【発明の詳細な説明】
【技術分野】
【０００１】
この発明は、室内空間に浮遊する埃や煙草の煙・臭気等の汚染物質を含有する空気を吸込み、汚染物質を除去した空気を室内空間に吹出すことで室内空間を清浄化する空気清浄機に関するものである。
【背景技術】
【０００２】
従来の空気清浄機では、吸気口と排気口に風向調整板を設け、吸気する気流を人の方向へ向け、排気する気流が障害物を避けることで空気を効率よく清浄化する発明が開示されている。（例えば、特許文献１参照）
【先行技術文献】
【特許文献】
【０００３】
【特許文献１】特開２００７−１９６１８３号公報（段落［００３８］−［００４１］、図１）
【発明の概要】
【発明が解決しようとする課題】
【０００４】
特許文献１に記載の空気清浄機では、吸気口と排気口を本体の左右側面に設けられ、吸気と排気の気流方向を風向板によって調整していたが、風向板の可動範囲が左右方向に限定されており、室内空間の上下方向を含めて人の周辺の領域を優先的に清浄化することに対応ができないという課題があった。
【０００５】
そこで、本発明は、上述のような課題を解決するためになされたものであり、人の周辺の領域を優先して清浄化することが可能な空気清浄機を提供することにある。
【課題を解決するための手段】
【０００６】
本発明に係る空気清浄機は、室内の空気を吸込む吸気口と当該空気を吹出す吹出口とを有するケーシングと、吸気口に対向して配置されるパネル部と、パネル部とケーシングとの間に形成され吸気口と連通する吸気開口部と、吸気開口部からケーシング内部に空気を吸込み当該空気を吹出口から吹出す送風機と、ケーシング内部を通過する空気を清浄化する清浄化手段と、室内状況を検知する室内検知手段と、吸気開口部の吸気方向と吸気量の少なくとも一つを調整する吸気調整手段と、室内検知手段で取得された室内の情報に基づいて吸気調整手段を制御する制御手段とを備えるものである。
【発明の効果】
【０００７】
本発明は、空気清浄機の上下左右に吸気開口部を設け、室内検知手段で取得された室内の情報に基づいて吸気調整手段を制御することで、人の周辺の領域を優先して清浄化することが可能な空気清浄機を得ることが可能となる。
【図面の簡単な説明】
【０００８】
【図１】本発明に係る実施の形態１の空気清浄機の斜視図である。
【図２】本発明に係る実施の形態１の空気清浄機の側面透視図である。
【図３】図２のＡ−Ａにおける断面図である。
【図４】図２の吸気調整機構の拡大図である。
【図５】本発明に係る実施の形態１の空気清浄機における赤外線センサ付近の斜視図である。
【図６】本発明に係る実施の形態１における人の位置に応じた吸気開口部と吹出口の動作を示す平面図である。
【図７】本発明に係る実施の形態２における吸気調整機構の断面図である。
【図８】本発明に係る実施の形態２における他の吸気調整機構の断面図である。
【図９】本発明に係る実施の形態３における吹出し空気の風向の仰角、人エリアの風速及び相対除塵速度の関係を示す特性線図である。
【発明を実施するための形態】
【０００９】
実施の形態１
図１から図７を参照して、本発明の実施の形態１について説明する。
図１は、本発明に係る実施の形態１の空気清浄機の斜視図である。図２は、本発明に係る実施の形態１の空気清浄機の側面透視図である。図３は、図２のＡ−Ａにおける断面図であり、吸気調整機構部分の構造を示す。
図１から図３において、空気清浄機１は、ケーシング２、台座３、吸気開口部４、吹出口５、送風機６、風路７、清浄化手段８、可動ルーバ９、吸気調整機構１１、回転機構１２、パネル２０、赤外線センサ３０等を備えている。また、可動ルーバ９を駆動するためのルーバ駆動部（図示せず）を備えている。
【００１０】
なお、空気清浄機１の構成を詳細に説明するため、第１の矢印５０は空気清浄機１の正面方向を、第２の矢印５１は空気清浄機１の側面方向を表している。以下で、左右という場合は空気清浄機１の正面方向からみて左右方向を意味し、前後という場合は空気清浄機１の正面方向からみて前後方向を意味する。
また、以下において、第１の矢印５０と対向する面を空気清浄機１の前面部、この前面部に対向する面を後面部と、それぞれ表記する。
【００１１】
空気清浄機１は、例えば略四角形の角筒状に形成され、部屋の床面に設置される。ケーシング２は、この空気清浄機１の筐体であり、台座３と回転機構１２によって水平方向に回転可能な状態で支持されている。ケーシング２の正面方向に対向してパネル２０が配置され、ケーシング２とパネル２０の間に吸気開口部４が形成される。
ケーシング２内は、吸気開口部４と連通する吸気口１５から順に清浄化手段８、送風機６及び風路７が配置されている。空気清浄機１は、たとえば室内の何れかの壁に近い位置で床面上に設置され、空気清浄機１の後面部を当該壁に向けるとともに空気清浄機１の前面部を室内の空間に向けた状態で使用される。
【００１２】
吸気開口部４は、室内の空気をケーシング２内に吸込むための開口部であり、空気清浄機１の左右側面部と上面と下面に設けられている。すなわち、吸気開口部４とは、ケーシング３とパネル２０との間に設けられる隙間の空間である。また、吸気開口部４は吸気調整手段の一例である吸気調整機構１１を有しており、吸気開口部４の開口面積を調整することで、吸気量や吸気方向を調整することができる。尚、吸気調整機構１１を有さない吸気開口部４があってもよい。
【００１３】
吹出口５は、ケーシング２の内部に吸込んだ空気を外部に吹出すための開口部であり、吸気開口部４より上方に１箇所又は複数箇所に設けられている。
【００１４】
送風機６は吸気開口部４からケーシング２の内部に空気を吸い込んで当該空気を吹出口５から吹出すもので、制御装置（図示せず）により回転数を制御可能なファンモータ（図示せず）とファン（図示せず）により構成される。この送風機６は本実施の形態では２個設けられており、この２個の送風機６は、上下方向に重ねた状態で配置されるとともに、個々の送風機６から吹出された空気をそれぞれ案内する風路７が個別に設けられている。
【００１５】
これらの風路７は、例えば空気清浄機１の水平断面で見ると、ケーシング２の正面に対して前後に並列に配置され、２個の送風機６の空気出口と２個の吹出口５とを接続している。
【００１６】
清浄化手段８は、ケーシング２内を通過する空気を清浄化するもので、例えば空気を吸気開口部４から送風機６で吸い込む間に通過する風路上に設けられている。ここで、「清浄化」とは空気中に浮遊する塵埃、煙、花粉、ウイルス、カビ、菌、アレルゲン、臭気成分等の汚染物質を除去することを意味するもので、より具体的には、これらの汚染物質を捕集したり、不活化したり、分解及び吸着する動作を意味する。
清浄化手段８の構成例としては、塵埃を捕集する集塵フィルタ、臭気成分を吸着する脱臭フィルタ、電極に高電圧を印加することで汚染物を除去及び分解する高電圧デバイス等により構成されるか、またはこれらの組み合わせにより構成される。
【００１７】
可動ルーバ９は風向可変手段の一例であり、例えばケーシング２の左右方向に延在する細長い平板等により形成されている。そして、可動ルーバ９の基端側は、各吹出口５に設けられたルーバ駆動部を介して個々の吹出口５に取り付けられ、可動ルーバ９の先端側は、ルーバ起動部により上下方向に揺動可能となっている。また、２個の可動ルーバ９は、各吹出口５から吹出す空気の風向きを個別に変更可能に構成されている。なお、本実施の形態では、２個の可動ルーバ９を備える場合を例示したが、吹出口５の個数に応じて１個のみ、または３個以上の可動ルーバ９を備える構成としてもよい。
特に風路７において、ケーシング２の正面側に設けられた開口可変機構１０は、吹出口５から吹出す空気を空気清浄機１の下側への拡散を抑制し、吹出す空気に対して整流効果があり、さらに送風機６の電源入力に対する風量が増加し、送風効率が向上する効果があることを、実験で確認している。
【００１８】
ルーバ駆動部は、可動ルーバ９を揺動可能に支持する支軸と、この支軸を回転させるアクチュエータ（図示せず）とを備えている。可動ルーバ９及びルーバ駆動部は、吹出し空気の風向を上下方向に変化させることが可能な風向可変手段の一形態である。
図２に示すθは、可動ルーバ９の仰角を示しており、床面と平行な水平方向を基準として、上方に傾斜する角度のことである。即ち、θ＝０°は水平方向を表し、θ＝９０°は鉛直方向を表している。
【００１９】
整流機構１４は、吹出し空気の風向を左右方向に調整するもので、図２及び図３に示すように、例えば略三角形状（扇形状）のフィンにより形成され、各可動ルーバ９の受風面側に左右方向に間隔をもって複数個配置されている。そして、個々の整流機構１４は、左右方向に揺動し、当該揺動角に応じて吹出し空気の風向を左右方向に変化させる。なお、整流機構１４の揺動動作は、例えば整流機構１４に設けられた整流駆動部（図示なし）により実行される。なお、本発明では、必ずしも整流機構１４を設ける必要はない。また、整流機構１４は、例えば可動ルーバ９の左右両端側にのみ１個ずつ配置する構成としてもよい。
なお、風向可変手段は、例えば吹出し空気の気流を調整するための機構を示すものであり、上述した可動ルーバ９と整流機構１４を組み合わせた構成も含むものである。
【００２０】
吸気調整機構１１は、例えば図３に示すようにケーシング２からジャッキ構造のような支持部材でパネル２０を支持することで、吸気開口部４の開口面積を調整してもよい。
図４は、図２及び図３の吸気調整機構１１の拡大図を示すものである。この拡大図は空気清浄機１の右側面方向に対応する。
図４において、吸気調整機構１１はジャッキ構造になっており、パネル２０をケーシング２の正面から見て前後だけでなく、上下左右にも動作することが可能になっている。吸気調整機構１１には、モータ等の駆動機構（図示せず）を備えており、制御装置からの指令によって駆動機構が制御されることで、吸気開口部４の開口面積が調整される。
【００２１】
例えば、ジャッキ構造を用いてパネル２０を上下に可動することで、左右に設けた吸気開口部４だけでなく、パネル２０の上下に設けた吸気開口部４の開口面積を調整することが可能である。パネル２０の下側に設けた吸気開口部４を調整することで、床面に沈降した埃や花粉等を吸引しやすくなる。また、ケーシング２は縦に長い構造のため、吸気開口部４を高い位置に設けることができ、パネル２０の上部に設けた吸気開口部４を調整することで、沈降しない臭気物質等の空気汚染物をより効率的に吸気することができる。
【００２２】
室内検知手段は、空気清浄機１が設置された室内の状況を検知するもので、少なくとも室内に在室する人の有無、つまり人の在室状況を検知することができる人検知手段を含むものである。他に汚れセンサ、動体センサ、距離センサ、湿度センサ、照度センサ等と組み合わせた構成であってもよい。
人検知手段は、例えば検出対象である室内を走査しながら温度を検出する赤外線センサ３０を備え、赤外線センサ３０により室内の温度を測定することで、人の位置を検知することができる。
【００２３】
図５は、本発明に係る実施の形態１の赤外線センサ３０付近の斜視図である。  図５において、赤外線センサ３０は、ステッピングモータ（図示せず）により左右方向に回転駆動する。例えば図５に示すように、右端部（ａ）から中央部（ｂ）を経由して左端部（ｃ）まで回転駆動する。左端部（ｃ）まで到達すると回転を逆方向に反転し、左端部（ｃ）から中央部（ｂ）を経由して右端部（ａ）へと戻る。この動作を繰り返しながら赤外線センサ３０は、部屋の温度検出対象範囲を左右に走査することで温度を検出する。
【００２４】
この赤外線センサ３０を床面から高さ６５ｃｍ以上、望ましくは７５ｃｍ以上、更に望ましくは８０ｃｍ以上に設置する。身長ｈｃｍの人にとって、机やテーブルの天面までの最適な高さＨは、式（１）によって算出され、天面までの最適な高さは約６５〜７２ｃｍが一般的である。机やテーブルよりも高い位置に赤外線センサ３０を設置することで、赤外線センサ３０が机やテーブル天面に検知範囲が遮られることなく人検知精度が向上し、空気清浄機の空清能力を最も引き出すことができる。
Ｈ＝０．４３３×ｈ−２…式（１）
【００２５】
次に、本発明の空気清浄機の動作について説明する。
なお、以下の説明では、吸気開口部４から空気を吸い込むことで発生する気流を吸気気流、吹出口５から空気を吹き出すことで発生する気流を吹出し気流と表記する。
【００２６】
まず、室内検知手段で人が検知された場合の空気清浄機の動作について説明する。
図６は、本発明に係る実施の形態１における人の位置に応じた吸気開口部と吹出口の動作を示す平面図である
第３の矢印５２は主な吸気気流の流れを模式的に示したものであり、第３の矢印５２の数によって吸気量の大小を表している。
また、第４の矢印５３は主な吹出し気流の流れを模式的に示すものである。
【００２７】
図６において、空気清浄機１と人４０が図に示すような位置関係にある場合、最初に室内検知手段が人４０の位置を検知する。そして、制御装置によって吸気調整機構１１を制御することで、人４０が検知された方向に近い吸気開口部４の開口面積を大きくし、空気の吸込み量を増加させる。空気清浄機１の上下部に配置された吸気開口部４の開口についても、人４０を検知した方向が大きくなるように調整される。また、同時に風向調整手段によって吹出口５から送風される空気を人４０が検知された方向に向ける。
このように、吹出し気流と吸気気流がともに人がいる方向に設定される。そのため、人の周辺の空気を中心に、効率よく清浄化することができる。
【００２８】
次に、室内検知手段で室内に人が検知されない場合の空気清浄機の動作について説明する。
室内に人が検知されない場合、吸気調整機構１１は室内の汚染物質の量によって動作を制御することも可能である。例えば、汚れセンサによって検知された汚染物質の主成分が埃や花粉等の沈降速度が速い物質だった場合、図３のような吸気調整機構１１ではパネル２０の下部に設けられた吸気開口部４から吸気する吸気量を増加させるため、吸気開口部４の開口面積を拡大させてもよい。また、送風機６を図２に示すように上下に複数個設けていた場合は、上側より下側の送風機の回転数を増加させることで、下側の送風機からの吸気量を増加させてもよい。
【００２９】
また、一方で検知された汚染物質の主成分が気中に分散しやすい臭気物質等であった場合、図３のような吸気調整機構１１では、空気清浄機１の上面に設けられた吸気開口部４からの吸気量を増加させるために、上面側の吸気開口部４の開口面積を拡大させてもよい。また、送風機６を図２に示すように上下に複数個設けていた場合は、下側より上側の送風機の回転数を増加させることで、上側の送風機６の吸気量を増加させてもよい。
【００３０】
上述した動作により、人が不在であるときにも室内全体の空気を効率よく清浄化することができる。
【００３１】
また、回転機構１２を有する構成とすることで、空気清浄機１と室内の壁との距離が変化し、室内の吸気気流が発生する領域の偏りを解消することになり、空気を効率的に清浄化することができる。
以上のように、本実施の形態では、吸気開口部４の開口面積を室内検知手段の検知結果に応じて調整するので、人の周辺の領域を優先的に清浄化することができる。
【００３２】
実施の形態２
実施の形態１では、吸気開口部の開口面積を調整することで吸気量を調整する構成であったが、実施の形態２では吸気開口部にフラップ又はダンパを配置した構成としている。
以下、本発明の実施の形態２について、図７及び図８を用いて説明する。なお、実施の形態１と同様な箇所は、同一の番号を付しており、説明を省略する。
【００３３】
図７は、本発明に係る実施の形態２の吸気調整機構の断面図である。この断面図は、図２のＡ−Ａ箇所を示すものである。
図７において、吸気調整機構は、ケーシング２に支持部と可動部を持つ平板構造であるフラップ２１としてもよい。このフラップ２１は、パネル２０の上下と左右の面に沿って設置される。
フラップ２１は、駆動部を設けた平板状の部材を設け、これを駆動部の軸に回転させることで吸気開口部４の開口面積を調整することができる。フラップ２１を備えた吸気調整機構であれば、開口面積だけでなく、フラップ２１の角度を調整することで吸気方向を調整することも可能となり、吸気開口部４の吸気気流をより詳細に制御することができる。
【００３４】
図８は、本発明に係る実施の形態２の他の吸気調整機構の断面図である。この断面図は、図２のＡ−Ａ箇所を示すものである。
図８において、吸気調整機構は、開閉式のダンパ２２として、これらを開閉させて吸気開口部４の開口面積を調整してもよい。このダンパ２２は、パネル２０の上下と左右の面に沿って設置される。
【００３５】
次に、実施の形態２での空気清浄機の動作について説明する。
実施の形態１で説明した空気清浄機の動作と異なる箇所について、以下に説明する。
室内に人が検知されない場合、吸気調整機構１１は室内の汚染物質の量によって動作が制御される。検知された汚染物質の主成分が埃や花粉等の沈降速度が速い物質だった場合、図７に示す吸気調整機構では、パネル２０の下部に配置されたフラップ２１を回転させることで吸気開口部４を開口し、室内の床面近辺から空気を吸い込むことで、床面近辺に吸気気流を発生させる。図８に示すダンパ２２を備えた構成においても、パネル２０の下部に配置されたダンパ２２を開口することで、床面近傍の空気を吸い込むことで、吸気気流を発生させる。
【００３６】
一方で検知された汚染物質の主成分が気中に分散しやすい臭気物質等であった場合は図７に示す吸気調整機構では、パネル２０の上部に配置されたフラップ２１を回転させることで吸気開口部４を開口し、室内の上方から空気を吸い込むことで吸気気流を発生させる。図８に示すダンパ２２を備えた構成においても、パネル２０の上部に配置されたダンパ２２を開口することで、室内の上部に吸気気流を発生させる。
【００３７】
上述した吸気調整機構の動作によって、人が不在であるときにも室内全体の空気を効率よく清浄化することができる。
また、人が在室している場合には、実施の形態１と同様に動作し、同様な効果を有する。
【００３８】
実施の形態３
以下、本発明の実施の形態３について、図９を用いて説明する。なお、空気清浄機の構成と吸気調整手段の動作は、実施の形態１又２と同じ内容であるので説明は省略し、空気清浄機の送風動作の特徴点について説明する。
【００３９】
まず、空気清浄機１から１００ｃｍより離れた場所に、室内検知手段で人が検知された場合の空気清浄機の送風動作について説明する。
赤外線センサ３０により取得した情報に基づき室内に人がいると制御装置が判断した場合、可動ルーバ９の仰角をθ１に設定し送風する。θ１は６０〜９０°の範囲で、望ましくは７５°である。
【００４０】
図９は、本発明に係る実施の形態１における吹出し空気の風向の仰角、人エリアの風速及び相対除塵速度の関係を示す特性線図である。
図９において、人エリアとは室内において、壁から５０ｃｍ以上内側を主に人が在室するエリアであるとして定義する。また、相対除塵速度は、人エリア内での複数箇所の各測定点の平均除塵速度ηＱを送風機６により発生させる風量で規格化した値を示している。なお、相対除塵速度は、空気の浄化効率が高いほど大きくなるものである。図９中の風速は、人エリアでの風速を示している。
【００４１】
可動ルーバ９の仰角が６０〜９０°の時に風速は０．３ｍ／ｓｅｃ以下に抑制される。ここで、０．３ｍ／ｓｅｃとは、人に吹かれ感を与えずに済む風速の許容限度であり、人の位置での風速が許容限度を超えると、吹かれ感が生じるようになる。なお、０．３ｍ／ｓｅｃは、許容限度の一例であり、本発明を限定するものではない。
【００４２】
このように、可動ルーバ９の仰角を６０〜９０°の範囲に設定することにより、人の上方に向けて空気を吹出すことができ、ユーザが感じる風による不快感を抑制することができ、かつ人エリアで空気清浄を効率的に行うことができる。
【００４３】
次に、室内検知手段で室内に人が検知され、空気清浄機１から１００ｃｍ以内の距離に近づいた場合の空気清浄機の動作について説明する。
赤外線センサ３０によって室内に人が検知され、空気清浄機１から１００ｃｍ以内の距離に近づいた場合には可動ルーバ９の仰角を９０°で送風することで、
近距離の人に対して送風による吹かれ感を与えることなく清浄化することが可能になる。
【００４４】
次に、室内検知手段で室内に人が検知されない場合の空気清浄機の動作について説明する。
赤外線センサ３０により室内に人が検知されない場合、可動ルーバ９の仰角をθ２に設定し送風する。θ２は人に対する吹かれ感を考慮する必要がなく、水平からの仰角２０〜９０°の範囲で揺動、または仰角２０〜９０°の範囲内で固定して送風し清浄化を行う。
以上のように本実施の形態では、人の検知結果に応じて、風向可変手段の具体的な構成である可動ルーバ９の仰角を設定するので、人に対して送風による吹かれ感を与えることなく清浄化することが可能になる。
【００４５】
上記の実施の形態１から３においては、吸気量又は吸気方向を人の検出結果に応じて吸気開口部４の開口面積を制御する構成であるが、他の構成でも問題ない。
例えば、空気清浄機の上下左右に配置された吸気開口部ごとに、空気を吸込むための送風手段を配置し、各送風手段の吸気量を制御することでも同様な効果を奏することが可能である。
また、上記の実施の形態１と３、または実施の形態２と３を組み合わせてもよく、組み合わせることで相乗効果が得られる。
【００４６】
また、本発明は、上述した実施の形態に限定されることはなく、本発明の主旨を逸脱しない範囲で、種々に変形することが可能である。
【符号の説明】
【００４７】
１  空気清浄機、２  ケーシング、３  台座、４  吸気開口部、
５  吹出口、６  送風機、７  風路、８  清浄化手段、９  可動ルーバ、
１０  開口可変機構、１１  吸気調整機構、１２  回転機構、１４  整流機構、
１５  吸気口
２０  パネル、２１  フラップ、２２  ダンパ、
３０  赤外線センサ、
４０  人、５０  第１の矢印、５１  第２の矢印、５２  第３の矢印、
５３  第４の矢印
【図１】
2016070588.tif 000003
【図２】
2016070588.tif 000004
【図３】
2016070588.tif 000005
【図４】
2016070588.tif 000006
【図５】
2016070588.tif 000007
【図６】
2016070588.tif 000008
【図７】
2016070588.tif 000009
【図８】
2016070588.tif 000010
【図９】
2016070588.tif 000011